(57)【要約】      （修正有）【課題】迅速且つ簡便に毛穴の目立ち易さを推定する技術及び該推定された毛穴の目立ち易さを用いて化粧料を選択する技術を提供する。【解決手段】日照時間を指標に毛穴の目立ち易さを推定すること、推定の方法が日照時間の回帰式で表されること、年代別に毛穴の目立ち易さを推定すること、在住地域（の日照時間）を指標に毛穴の目立ち易さを推定すること等を特徴とする、毛穴の目立ち易さの鑑別法、及びこれらによって鑑別された毛穴の目立ち易さを指標とする化粧料の選択方法。【選択図】図２
2010131216.tif 000002
【特許請求の範囲】
【請求項１】
皮膚の性状の鑑別法であって、日照時間を指標に毛穴の目立ち易さを推定することを特徴とする、毛穴の目立ち易さの鑑別法。
【請求項２】
前記推定方法が日照時間の回帰式で表されることを特徴とする、請求項１に記載の毛穴の目立ち易さの鑑別法。
【請求項３】
年代別に毛穴の目立ち易さを推定することを特徴とする、請求項１又は２の何れかに記載の毛穴の目立ち易さの鑑別法。
【請求項４】
在住地域（の日照時間）を指標に、毛穴の目立ち易さを推定することを特徴とする、請求項１〜３の何れかに記載の毛穴の目立ち易さの鑑別法。
【請求項５】
請求項１〜４によって鑑別された毛穴の目立ち易さを指標とする、化粧料の選択方法。
【発明の詳細な説明】
【技術分野】
【０００１】
本発明は、皮膚の性状の鑑別法であって、より詳細には毛穴の易さの鑑別法並びに該鑑別法により鑑別された状態により化粧料を選択する方法に関する。
【背景技術】
【０００２】
毛穴が目立ち易いことは、皮膚の外観の美しさにおいて、重要な課題であり、肌の悩みのアンケート等で常に上位にランクされる肌の悩みの１つである。毛穴は年齢とともに目立ち易い傾向にあり、皮膚の老化現象と考えられる。毛穴が目立ち易い場合には、目立つ毛穴の数が増加する場合と、毛穴の一つ一つの大きさが大きくなる場合とがある。特に後者においては、毛穴が円状の形態から、方向性を持った、一定方向に流れるような形態変化を呈して、より顕著に毛穴が目立ち易い場合も存する。
【０００３】
このような毛穴の目立ち易さを改善するために、毛穴を半透明球状粉体とシリコーンと水を含有する化粧料により、自然な感じで皮膚表面状態を補正する方法（例えば、特許文献１参照）、グリシン誘導体、アミノジカルボン酸誘導体、アシルアミノジカルボン酸誘導体、ピロリジンカルボン酸誘導体、ピペリジンカルボン酸誘導体、ヘキサメチレンイミンカルボン酸誘導体及びβ−アラニン誘導体並びに前記各誘導体の塩からなる群から選ばれる化合物の１種又は２種を含有する皮膚外用剤を用いて、毛穴の目立ち易さを改善する方法（例えば、特許文献２参照）等が開示されている。
【０００４】
また、毛穴の鑑別法は、角栓の状況、毛穴の窪みの状況と毛穴の黒ずみ具合とを観察して、毛穴の状態を４段階に分類する方法が開示されている（例えば、特許文献３）。該鑑別法では、接写レンズやビデオマイクロスコープにより皮膚表面を撮影し、基準を設けて鑑別するために、機器の準備や撮影等のコスト・工数を要するために、より迅速且つ簡便に毛穴の状態を鑑別する技術が切望されていた。
【０００５】
一方、日照時間と毛穴の目立ち易さとが関係することや、該日照時間を指標に毛穴の目立ち易さを推定する技術、及び在住地域の日照時間を指標に毛穴の目立ち易さを推定する技術については全く知られておらず、該推定された毛穴の目立ち易さに基づいて化粧料の選択方法を提供することも全く知られていなかった。
【０００６】
【特許文献１】特開平１１?３４９４４２号公報
【特許文献２】特開２００５−１７９３４２号公報
【特許文献３】特開２００７−１９２５５６号公報
【発明の開示】
【発明が解決しようとする課題】
【０００７】
本発明は、迅速且つ簡便に毛穴の目立ち易さを推定する技術及び該推定された毛穴の目立ち易さを用いて化粧料を選択する技術を提供することを課題とする。
【課題を解決するための手段】
【０００８】
この様な状況に鑑みて、本発明者らは、毛穴の目立ち易さを迅速且つ簡便に鑑別する技術を求めて、鋭意研究努力を重ねた結果、日照時間を指標に毛穴の目立ち易さを推定できることを見い出し、発明を完成させるに至った。即ち、本発明は、以下に示すとおりである。
（１）皮膚の性状の鑑別法であって、日照時間を指標に毛穴の目立ち易さを推定することを特徴とする、毛穴の目立ち易さの鑑別法。
（２）前記推定方法が日照時間の回帰式で表されることを特徴とする、（１）に記載の毛穴の目立ち易さの鑑別法。
（３）年代別に毛穴の目立ち易さを推定することを特徴とする、（１）又は（２）の何れかに記載の毛穴の目立ち易さの鑑別法。
（４）在住地域（の日照時間）を指標に、毛穴の目立ち易さを推定することを特徴とする、（１）〜（３）の何れかに記載の毛穴の目立ち易さの鑑別法。
（５）（１）〜（４）によって鑑別された毛穴の目立ち易さを指標とする、化粧料の選択方法。
【発明の効果】
【０００９】
本発明によれば、日照時間を指標に毛穴の目立ち易さを迅速且つ簡便に推定する手段の提供、及び毛穴の目立ち易さの改善に適した化粧料を提供することができる。
【発明を実施するための最良の形態】
【００１０】
（１）本発明の毛穴の目立ち易さの鑑別法
本発明の毛穴の目立ち易さの鑑別法は、日照時間を指標に毛穴の目立ち易さを推定することを特徴とする。これまで現在の毛穴の状態については種々の情報が提供されてはいるが、将来に渡って、毛穴の状態がどのような変化して目立っていくかという、毛穴の目立ち易さに関する情報は全く知られていなかった。本発明者らは、個人の顔の毛穴の目立ち易さと該個人の在住地域の日照時間との間に、有意な相関性が存在することを見出し、該日照時間を指標に、迅速且つ簡便に毛穴の目立ち易さを推定できる技術を完成させた。即ち、個人の在住地域を知ることで、状来に渡って毛穴が目立ち易くなる可能性について、アドバイス・カウンセリングすることが可能となる訳である。
【００１１】
前記毛穴の目立ち易さとは、視覚的に毛穴が目立ち易いか否かの基準化された判定手段に基づいた数値をいう。かような毛穴の目立ち易さ（以下データを意味）は、予め、以下のようなステップで、毛穴の基準写真を作成しておき、該基準写真と照らし合わせて、各被験者の毛穴画像を評価し毛穴の目立ち易さとすることが好ましい。毛穴の観察対象は、美容上重要である画面の頬部及び鼻部の皮膚が好ましく、通常は、傷や傷痕が多い部位は避け、被験者の皮膚を代表する領域を選択すればよい。観察対象部位よりの毛穴画像の取得は、実寸に対して１０〜５０倍の拡大画像を入手する。該入手法は特に制限されないが、例えば、デジタル式マイクロスコープ、デジタルカメラ、スキャナー等の市販の機器を用いればよく、モリテックス社製のｉ−ｓｃｏｐｅやＣＣＤマイクロスコープが例示できる。又は、シリコン印象剤等のレプリカを用いて３次元形状を取得して、画像を入手することもできる。かようにして取得された該画像に対して、例えば、三谷商事社製のＷｉｎＲＯＯＦ（登録商標）等の汎用的画像解析ソフトウェアを用いて毛穴の面積や形状を測定する。測定された数値を参考に、毛穴の目立ち易さの３〜７段階の基準写真（図１参照）を作成して、毛穴の目立ち易さの判定を行うことができる。該基準写真の作成においては、第三者を代表する複数の評価者に判別させるステップを繰り入れることは、人間の視覚との対応性が向上することからより好ましい。
【００１２】
前記日照時間とは、気象庁により定義された、直射日光が雲などに遮られずに０．１２ｋｗ・ｍ−２以上で地表を照射した１年間における総時間をいう。かようなデータは、例えば、気象庁年報や総務庁統計局発行の日本統計年鑑、又は理科年表などに記載の各都市毎の日照時間等を用いることができる。
【００１３】
日照時間を指標に毛穴の目立ち易さを推定するには、複数の被験者の毛穴画像又は毛穴の目立ち易さと、その属性として年代及び日照時間があればよい。複数の被験者とは、各年代毎に少なくとも各１００名以上、好ましくは各１０００以上である。また、被験者の在住地域の日照時間による毛穴の目立ち易さを推定するには、例えば、都道府県毎且つ年代毎に、少なくとも各５０名以上、好ましくは各１００人以上の被験者を要する。言い換えれば、全国的であれば、年代別では少なくとも各２３００人、総数では少なくとも１００００人以上であることが望ましい訳である。
【００１４】
前記推定のために毛穴の目立ち易さと日照時間との関連性は、フリーソフトや市販の多変量解析ソフトウェアを用いて検討することができ、例えば、ＳＰＳＳ社製のＳＰＳＳシリーズやＳＡＳ社製のＪＭＰ等が例示できる。かようなソフトウェアを用いて、スピアマンの順位相関性やケンドールの順位相関性を確認した後、毛穴の目立ち易さを目的変数に、日照時間を説明変数として回帰式を求めれば、日照時間を指標に毛穴の目立ち易さを推定することができる。この際に、２０代或いは４０代のように、年代別に回帰式を求めるれば、毛穴の目立ち易さをより高精度に推定することができる。これは、毛穴の目立ち易さに対する日照時間の影響が、加齢と共により大きく寄与する為と考えられる。
【００１５】
前記毛穴の目立ち易さと日照時間との関連性、及び日照時間の地域差より、被験者の在住地域（の日照時間）を指標に毛穴の目立ち易さを推定できる。これは、毛穴の目立ち易さに影響する日照時間が、国内の地域によって大きく異なる為と考えられる。したがって、例えば、被験者の毛穴の目立ち易さと、日照時間の相関関係を確認した後、その相関関係に基づく回帰式を用いて、日照時間を在住地域の日照時間に当てはめれば、各都道府県別に毛穴の目立ち易さを推定することができる。さらに、前述のように、年代別に回帰式を求めれば、毛穴の目立ち易さをより高精度に推定することができる。
【００１６】
前記回帰式より推定された毛穴なの目立ち易さは、例えば、実施例１の５段階の基準写真を用いれば、四捨五入等の処理により１〜５の整数のスコアとして算出できる。スコア１＝現状では毛穴はあまり毛穴が目立たなく良好な肌である、スコア２＝現状では毛穴は目立たないが将来的には注意は必要である、スコア３＝現状より今後毛穴が目立ち易くなるので注意は必要である、スコア４＝現状でも毛穴が目立っており今後確実に毛穴が目立ち易くなるので注意が必要である、スコア５＝現状でかなり毛穴が目立っており今後非常に目立ちやすくなるので十分な注意が必要である、のようにコメント・アドバイスを意味するものとして利用することもできる。
【００１７】
（２）本発明の化粧料の選択法
本発明の化粧料の選択法は、前記毛穴の目立ち易さの鑑別に基づいて行えばよい。例えば、スコア２以上と鑑別された人に対しては、サンスクリーン効果の有る化粧料を選択し、スコア４以上と鑑別された人に対しては、サンスクリーン効果及び抗老化作用の有る化粧料を選択・使用を勧めること等が例示できる。即ち、日照時間又は在住地域によって毛穴の目立ち易さを推定し、該毛穴の目立ち易さに適した化粧料を提供することができる。この結果、毛穴の目立ち易さの進行を予防、及び／又は、毛穴の目立ち易さを改善することが期待できる。
【００１８】
前記化粧料において、サンスクリーン剤としては紫外線吸収剤や紫外線散乱剤等が例示でき、ファンデーションタイプ用やクリームタイプ用等の市販を用いることができる。また、抗老化剤としてはコラーゲン等の真皮マトリックス成分産生促進剤、ビタミン類等が例示できる。
【００１９】
前記の成分以外に、化粧料は、通常化粧料で使用される以下のような任意成分を含有することができる。例えば、マカデミアナッツ油、アボカド油、トウモロコシ油、オリーブ油、ナタネ油、ゴマ油、ヒマシ油、サフラワー油、綿実油、ホホバ油、ヤシ油、パーム油、液状ラノリン、硬化ヤシ油、硬化油、モクロウ、硬化ヒマシ油、ミツロウ、キャンデリラロウ、カルナウバロウ、イボタロウ、ラノリン、還元ラノリン、硬質ラノリン、ホホバロウ等のオイル、ワックス類、流動パラフィン、スクワラン、プリスタン、オゾケライト、パラフィン、セレシン、ワセリン、マイクロクリスタリンワックス等の炭化水素類、オレイン酸、イソステアリン酸、ラウリン酸、ミリスチン酸、パルミチン酸、ステアリン酸、ベヘン酸、ウンデシレン酸等の高級脂肪酸類、セチルアルコール、ステアリルアルコール、イソステアリルアルコール、ベヘニルアルコール、オクチルドデカノール、ミリスチルアルコール、セトステアリルアルコール等の高級アルコール等、イソオクタン酸セチル、ミリスチン酸イソプロピル、イソステアリン酸ヘキシルデシル、アジピン酸ジイソプロピル、セバチン酸ジ−２−エチルヘキシル、乳酸セチル、リンゴ酸ジイソステアリル、ジ−２−エチルヘキサン酸エチレングリコール、ジカプリン酸ネオペンチルグリコール、ジ−２−ヘプチルウンデカン酸グリセリン、トリ−２−エチルヘキサン酸グリセリン、トリ−２−エチルヘキサン酸トリメチロールプロパン、トリイソステアリン酸トリメチロールプロパン、テトラ−２−エチルヘキサン酸ペンタンエリトリット等の合成エステル油類、ジメチルポリシロキサン、メチルフェニルポリシロキサン、ジフェニルポリシロキサン等の鎖状ポリシロキサン、オクタメチルシクロテトラシロキサン、デカメチルシクロペンタシロキサン、ドデカメチルシクロヘキサンシロキサン等の環状ポリシロキサン、アミノ変性ポリシロキサン、ポリエーテル変性ポリシロキサン、アルキル変性ポリシロキサン、フッ素変性ポリシロキサン等の変性ポリシロキサン等のシリコーン油、炭酸プロピレン、炭酸ジカプリルなどの炭酸ジエステル類等の油剤類等が例示できる。
【００２０】
また、脂肪酸セッケン（ラウリン酸ナトリウム、パルミチン酸ナトリウム等）、ラウリル硫酸カリウム、アルキル硫酸トリエタノールアミンエーテル等のアニオン界面活性剤類、塩化ステアリルトリメチルアンモニウム、塩化ベンザルコニウム、ラウリルアミンオキサイド等のカチオン界面活性剤類、イミダゾリン系両性界面活性剤（２−ココイル−２−イミダゾリニウムヒドロキサイド−１−カルボキシエチロキシ２ナトリウム塩等）、ベタイン系界面活性剤（アルキルベタイン、アミドベタイン、スルホベタイン等）、アシルメチルタウリン等の両性界面活性剤類、ソルビタン脂肪酸エステル類（ソルビタンモノステアレート、セスキオレイン酸ソルビタン等）、グリセリン脂肪酸類（モノステアリン酸グリセリン等）、プロピレングリコール脂肪酸エステル類（モノステアリン酸プロピレングリコール等）、硬化ヒマシ油誘導体、グリセリンアルキルエーテル、ＰＯＥソルビタン脂肪酸エステル類（ＰＯＥソルビタンモノオレエート、モノステアリン酸ポリオキエチレンソルビタン等）、ＰＯＥソルビット脂肪酸エステル類（ＰＯＥ−ソルビットモノラウレート等）、ＰＯＥグリセリン脂肪酸エステル類（ＰＯＥ−グリセリンモノイソステアレート等）、ＰＯＥ脂肪酸エステル類（ポリエチレングリコールモノオレート、ＰＯＥジステアレート等）、ＰＯＥアルキルエーテル類（ＰＯＥ２−オクチルドデシルエーテル等）、ＰＯＥアルキルフェニルエーテル類（ＰＯＥノニルフェニルエーテル等）、プルロニック型類、ＰＯＥ・ＰＯＰアルキルエーテル類（ＰＯＥ・ＰＯＰ２−デシルテトラデシルエーテル等）、テトロニック類、ＰＯＥヒマシ油・硬化ヒマシ油誘導体（ＰＯＥヒマシ油、ＰＯＥ硬化ヒマシ油等）、ショ糖脂肪酸エステル、アルキルグルコシド等の非イオン界面活性剤類等も同様に例示できる。
【００２１】
さらに、ポリエチレングリコール、グリセリン、１，３−ブチレングリコール、エリスリトール、ソルビトール、キシリトール、マルチトール、プロピレングリコール、ジプロピレングリコール、ジグリセリン、イソプレングリコール、１，２−ペンタンジオール、２，４−ヘキシレングリコール、１，２−ヘキサンジオール、１，２−オクタンジオール等の多価アルコール類、ピロリドンカルボン酸ナトリウム、乳酸、乳酸ナトリウム等の保湿成分類、グアガム、クインスシード、カラギーナン、ガラクタン、アラビアガム、ペクチン、マンナン、デンプン、キサンタンガム、カードラン、メチルセルロース、ヒドロキシエチルセルロース、カルボキシメチルセルロース、メチルヒドロキシプロピルセルロース、コンドロイチン硫酸、デルマタン硫酸、グリコーゲン、ヘパラン硫酸、ヒアルロン酸、ヒアルロン酸ナトリウム、トラガントガム、ケラタン硫酸、コンドロイチン、ムコイチン硫酸、ヒドロキシエチルグアガム、カルボキシメチルグアガム、デキストラン、ケラト硫酸，ローカストビーンガム，サクシノグルカン，カロニン酸，キチン，キトサン、カルボキシメチルキチン、寒天、ポリビニルアルコール、ポリビニルピロリドン、カルボキシビニルポリマー、ポリアクリル酸ナトリウム、ポリエチレングリコール、ベントナイト等の増粘剤、表面を処理されていても良い、マイカ、タルク、カオリン、合成雲母、炭酸カルシウム、炭酸マグネシウム、無水ケイ酸（シリカ）、酸化アルミニウム、硫酸バリウム等の粉体類、表面を処理されていても良い、ベンガラ、黄酸化鉄、黒酸化鉄、酸化コバルト、群青、紺青、酸化チタン、酸化亜鉛の無機顔料類、表面を処理されていても良い、雲母チタン、魚燐箔、オキシ塩化ビスマス等のパール剤類、レーキ化されていても良い赤色２０２号、赤色２２８号、赤色２２６号、黄色４号、青色４０４号、黄色５号、赤色５０５号、赤色２３０号、赤色２２３号、橙色２０１号、赤色２１３号、黄色２０４号、黄色２０３号、青色１号、緑色２０１号、紫色２０１号、赤色２０４号等の有機色素類、ポリエチレン末、ポリメタクリル酸メチル、ナイロン粉末、オルガノポリシロキサンエラストマー等の有機粉体類、パラアミノ安息香酸系紫外線吸収剤、アントラニル酸系紫外線吸収剤、サリチル酸系紫外線吸収剤、桂皮酸系紫外線吸収剤、ベンゾフェノン系紫外線吸収剤、糖系紫外線吸収剤、２−（２’−ヒドロキシ−５’−ｔ−オクチルフェニル)ベンゾトリアゾール、４−メトキシ−４’−ｔ−ブチルジベンゾイルメタン等の紫外線吸収剤類、エタノール、イソプロパノール等の低級アルコール類、ビタミンＡ又はその誘導体、ビタミンＢ６塩酸塩，ビタミンＢ６トリパルミテート，ビタミンＢ６ジオクタノエート，ビタミンＢ２又はその誘導体，ビタミンＢ１２，ビタミンＢ１５又はその誘導体等のビタミンＢ類、α−トコフェロール，β−トコフェロール，γ−トコフェロール，ビタミンＥアセテート等のビタミンＥ類、ビタミンＤ類、ビタミンＨ、パントテン酸、パンテチン、ピロロキノリンキノン等のビタミン類なども好ましく例示できる。これらの成分を常法に従って処理することにより、毛穴の目立ち易さを改善するための化粧料は製造することができる。
【００２２】
以下に、実施例を挙げて、本発明について更に詳細に説明を加えるが、本発明が、かかる実施例にのみ限定されないのは言うまでもない。
【実施例１】
【００２３】
＜毛穴の目立ち易さの鑑別・回帰式の作製＞
全国の日本人女性８７１，４３６人の頬部写真（２０倍拡大）を対象に、予め作成した５段階の毛穴の目立ち易さの基準写真（図１参照）と照合しながら、毛穴の目立ち易さを５段階のスコアを求めた。次に、年代別に３つに分類し、４７都道府県毎に前記毛穴の目立ち易さのスコア（平均値）を算出した。前記スコア（平均値）と４７都道府県庁の所在地の１年間の日照時間（時間：ｈｒ）との関係について、年代別に相関・回帰分析を行った。結果について、年代別に、散布図、回帰式を図２に示す。また、相関関係を認めた４０代及び３０代での回帰式を以下に示す。
４０代：スコア＝０．０００３９＊日照時間（ｈｒ）＋２．０４６
３０代：スコア＝０．０００３４＊日照時間（ｈｒ）＋２．１３０
これより、被験者の年代と在住地域の年間日照時間が分かれば、該被験者のスコアを迅速且つ簡便に推定できることが分かる。言い換えれば、被験者にコンタクトして肌情報を得る必要がないという、全く画期的な技術と言える。
【００２４】
＜評価項目・条件＞
・被験者：女性（４７都道府県各１０，０００人以上、各年代２５０，０００人以上、２０〜４９才）
・実施時期：２００５〜２００７年
・日照時間：２００８年度版理科年表（国立天文台編、丸善株式会社出版）
・データ解析：株式会社ＳＡＳ社製統計解析ソフトウェアＪＵＭＰ Ｖｅｒ６
【００２５】
＜試験例１・推定精度＞
実施例１で得られた回帰式を用いて毛穴の目立ち易さの鑑別を行った場合と、基準写真を用いて自己評価した場合とのスコアの一致率を検討した。即ち、九州、関東及び東北地区の計１０県より、各年代及び府県別の分布が同じようになるように、計２００名の被験者を募集し、実施例１の回帰式を用いてスコアを推定した。別途、実施例１の毛穴の目立ち易さの基準写真（図１参照）を被験者に見せ、本人に毛穴の目立ち易さを５段階で判定させた。表１に２つの方法によるスコアの一致率を示す。完全一致率が５４％、１段階のずれを含んだ一致率は８９％であり、本発明の鑑別法が十分な精度を有し利用できることが分かる。
【００２６】
【表１】
2010131216.tif 000003
【００２７】
＜試験例２・化粧料選択の効果＞
試験例１で得られたスコアに従って化粧料の選択を行った場合（化粧料選択群）と、これまで通り日常的使用の化粧料を継続使用した場合（コントロール群）とにおいて、長期使用によるスコアへの影響を検討した。即ち、試験例１の２００名を年代、在住地域及びスコアがほぼ同じになるように２群に分け、本発明の化粧料選択群は、スコア２以上はサンスクリーン剤入りの化粧料を、スコア３以上はサンスクリーン剤及び老化対策の有効成分であるビタミンＣを配合した化粧料を選択させて、半年間使用させた。図３に結果を示す。化粧料使用群は、コントロール群に比して、半年後スコアの低下を認めた（ｐａｉｒｅｄ ｔ−ｔｅｓｔ，ｐ＜０．０１）。これより、本発明の毛穴の目立ち易さの鑑別及びその鑑別結果に基づく化粧料の選択が有効であることが分かる。
【産業上の利用可能性】
【００２８】
実際の肌を見ることがない遠隔条件下で、迅速且つ簡便に毛穴の目立ち易さを推定し、その肌に適した化粧料を奨めることができる。その結果、遠隔的な利用、例えば電話やネットでの肌のカウンセリングや化粧料のアドバイスなどに利用できる。
【図面の簡単な説明】
【００２９】
【図１】毛穴の目立ち易さの基準写真を示す画像である（図面代用写真）。
【図２】日照時間と毛穴の目立ち易さとの相関関係を示す散布図である。
【図３】化粧料の長期使用による毛穴の目立ち易さへの影響を示す図である。
【図１】
2010131216.tif 000004
【図２】
2010131216.tif 000005
【図３】
2010131216.tif 000006